【事件の表示】
　特許第３３１２３７１号「メーキャップ化粧料」の請求項１乃至２に係る特許に対する特許異議の申立てについて、次のとおり決定する。
【結　論】
　訂正を認める。
　特許第３３１２３７１号の請求項１乃至２に係る特許を取り消す。
【理　由】
１．手続の経緯
　特許第３３１２３７１号の請求項１乃至２に係る発明は、平成８年４月１９日に特許出願され、平成１４年５月３１日にその特許権の設定登録がされ、その後、川口明子（以下、「申立人」という。）より特許異議の申立てがされ、取り消しの理由が通知され、その指定期間内である平成１５年７月２２日に訂正請求がされたものである。
　
２．訂正の適否についての判断
（１）訂正の内容
ア．訂正事項ａ
　特許請求の範囲の請求項１及び２の記載について、「・・・メーキャップ化粧料。」とあるのを、「・・・ゲル状メーキャップ化粧料。」と訂正する。
　
イ．訂正事項ｂ
　明細書の段落【０００４】の記載について、「・・・メーキャップ化粧料である。」とあるのを、「・・・ゲル状メーキャップ化粧料である。」と訂正する。
　
ウ．訂正事項ｃ
　明細書の段落【００３０】、【００３１】、【００３２】及び【００３３】を削除する。
　
エ．訂正事項ｄ
　明細書の段落【００３７】の記載について、「実施例２〜６」とあるのを、「実施例４〜６」と訂正する。
　
（２）訂正の目的の適否、新規事項の有無及び拡張・変更の存否
　上記訂正事項ａは、発明を特定する事項である「メーキャップ化粧料」を、これに含まれる事項である「ゲル状メーキャップ化粧料」に限定するものであるから、特許請求の範囲の減縮を目的とした明細書の訂正に該当する。
　上記訂正事項ｂ〜ｄは、上記適正事項ａと整合を図るためのものであるから、明りょうでない記載の釈明を目的とした明細書の訂正に該当する。
　そして、上記訂正事項ａ〜ｄは、いずれも、願書に添付された明細書に記載された事項の範囲内のものであり、実質上特許請求の範囲を拡張又は変更するものでもない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）本件の請求項１乃至２に係る発明
　上記２．のとおり訂正が認められるから、本件の請求項１乃至２に係る発明（以下、それぞれ、「本件発明１」、「本件発明２」という。）は、訂正明細書の特許請求の範囲の請求項１乃至２に記載された事項により特定される、次のとおりのものである。
　
「【請求項１】（１）平均粒子径１．０〜１５．０μｍのオルガノポリシロキサンエラストマー球状粉体を２．０〜２０．０重量％と、（２）揮発性シリコーン油を５．０〜７５．０重量％と、（３）下記一般式（１）で表されるポリエーテル変性シリコーンを２．０〜２０．０重量％とを配合したことを特徴とするゲル状メーキャップ化粧料。
　
［式中、Ａはメチル基、フェニル基および一般式：−Ｃ３Ｈ６Ｏ（Ｃ２Ｈ４Ｏ）ａ（Ｃ３Ｈ６Ｏ）ｂＲ’（式中、Ｒ’は水素原子、アシル基および炭素数１〜４のアルキル基からなる群から選択される基であり、ａは５〜５０の整数であり、ｂは５〜５０の整数である。）で示されるポリオキシアルキレン基からなる群から選択される基であり、Ｒはメチル基またはフェニル基であり、ｍは２００〜６００の整数であり、ｎは５〜２０の整数である。ただし分子中に少なくとも１個はポリオキシアルキレン基を有する。］
　【請求項２】揮発性シリコーン油がジメチルシクロポリシロキサンである請求項１記載のゲル状メーキャップ化粧料。」
　
（２）刊行物記載の概要
　当審で通知した取り消しの理由で引用した刊行物１、刊行物４及び刊行物５には、以下の事項が記載されている。
　
ア．刊行物１：特開平７−２６７８１９号公報
（ア−１）平均粒子径１．０〜１５．０μｍのオルガノポリシロキサンエラストマー球状粉体の配合量が化粧料全量中の１．０〜２０．０重量％である請求項２記載の油中水型乳化化粧料（請求項３）
（ア−２）本発明の油中水型乳化化粧料を得るには、オルガノポリシロキサンエラストマー球状粉体を含む粉体、油分および水を均一に分散配合することにより得ることができる。（段落【００１５】）
（ア−３）本発明に用いられる油分としては、例えば、・・・、ジメチルシクロポリシロキサン、・・・等のシリコーン系オイル、・・・などが例示される。このような油分の合計量は、化粧料全量中の１０．０〜９５．０重量％が好ましい。（段落【００１６】）
（ア−４）表１から明らかな如く、実施例品は比較例品に比べて、肌なじみが良く、さっぱりとしていてべたつきがなく、化粧もちのよいものであった。（段落【００３６】）
　
イ．刊行物４：TORAY SILICONES for PERSONAL CARE、トーレ・シリコーン株式会社発行、1989年6月
（イ−１）ＢＹ２２−００８およびＢＹ２２−０１２は、揮発性シリコーンを基油とした自己乳化性能を有するオイルで、シリコーンを油相成分とする乳化化粧品などの処方を組む時に適しています。（「ＢＹ２２−００８、ＢＹ２２−０１２」の項）
（イ−２）メークアップ製品では、感触向上とともに化粧持ちの良い製品を得ることができます。（「ＢＹ２２−００８、ＢＹ２２−０１２」の項）
（イ−３）ＢＹ２２−０１２は環状シリコーンの４量体、ＢＹ２２−００８は５量体をそれぞれ主成分としています。（「ＢＹ２２−００８、ＢＹ２２−０１２」の項）
　
ウ．刊行物５：特開平７−２１５８１７号公報
（ウ−１）（ｉ）シリコーン油の一種または二種以上、（ii）下記一般式化１で示されるポリエーテル変性シリコーンの一種または二種以上、（iii）水、（iv）疎水化処理粉末の一種または二種以上を含有することを特徴とするゲル状化粧料。
【化１】
［ただし、式中Ａはメチル基、フェニル基及び一般式：−Ｃ３Ｈ６Ｏ（Ｃ２Ｈ４Ｏ）ａ（Ｃ３Ｈ６Ｏ）ｂＲ’（式中、Ｒ’は水素原子、アシル基、および炭素数１〜４のアルキル基からなる群から選択される基であり、ａは５〜５０の整数であり、ｂは５〜５０の整数である。）で示されるポリオキシアルキレン基からなる群から選択される基であり、Ｒはメチル基またはフェニル基であり、ｍは５０〜１０００の整数であり、ｎは１〜４０の整数である。］（請求項１）
（ウ−２）本発明に用いられるシリコーン油は、・・・オクタメチルシクロテトラシロキサン、デカメチルシクロペンタシロキサン、・・・等の環状シロキサン；・・・等が例示される。これらの中では、環状ポリシロキサン、特に環状のジメチルポリシロキサンを用いた場合に、ゲル状化粧料の安定性が高い。（段落【０００６】）
（ウ−３）本発明のゲル状化粧料において、シリコーン油の配合量は特に限定されないが、８０重量％以下が好ましい。（段落【０００７】）
（ウ−４）ｍは５０〜１０００の整数であり、ｎは１〜４０の整数であり、好ましくは、ｍは２００〜６００、ｎは５〜２０である。（段落【００１０】）
（ウ−５）本発明に用いられるポリエーテル変性シリコーンの配合量は２〜３０重量％であり、好ましくは、５〜１５重量％である。（段落【００１２】）
（ウ−６）本発明に用いられる疎水化処理粉末の配合量は特に限定されるものでないが、本発明の化粧料全量中１〜６０重量％が好ましく、さらに好ましくは１０〜５０重量％である。（段落【００１７】）
（ウ−７）本発明のゲル状化粧料は、・・・ファンデーション、アイシャドー、アイライナー、マスカラ、口紅等のメーキャップ製品、・・・に応用可能である。（段落【００１９】）
　
（３）対比・判断
ア．本件発明１について
　本件発明１と上記刊行物５記載の発明（上記（ウ−１）参照。）を対比すると、上記刊行物５記載の発明においては、シリコーン油として、環状のジメチルポリシロキサン（本件発明１の揮発性シリコーン油として好適とされているジメチルシクロポリシロキサンと同義）が用いられるから（上記（ウ−２）参照。）、両者は、「揮発性シリコーン油を５．０〜７５．０重量％と、一般式（１）で表されるポリエーテル変性シリコーンを２．０〜２０．０重量％を配合したことを特徴とするゲル状メーキャップ化粧料」である点で一致し、本件発明では、上記の成分に加え、平均粒子径１．０〜１５．０μｍのオルガノポリシロキサンエラストマー球状粉体を２．０〜２０．０重量％配合するものであるのに対し、上記刊行物５記載の発明では、疎水化処理粉末を１〜６０重量％配合するものである点で差異がある。
　しかるに、上記刊行物１に記載されているように、平均粒子径１．０〜１５．０μｍのオルガノポリシロキサンエラストマー球状粉体をメーキャップ化粧料に配合することにより、肌なじみが良く、さっぱりとしていてべたつきがなく、化粧もちのよいものが得られること（上記（ア−４）参照。）が本願出願日前に公知である。また、オルガノポリシロキサンエラストマー球状粉体は、メーキャップ化粧料に配合される無機顔料粉体や有機合成樹脂粉体に代えて配合される粉体成分として、当業者に周知のものである。（上記刊行物１段落【０００２】、特公平４−１７１６２号公報、特開平２−２４３６１２号公報参照。）
　してみれば、上記刊行物５記載の発明において、化粧もちの改善を目的として、粉体成分である疎水化処理粉末に代えて、平均粒子径１．０〜１５．０μｍのオルガノポリシロキサンエラストマー球状粉体を使用してみることは当業者の容易になし得るところである。そして、その配合量の最適値は、疎水化処理粉末の配合量を参酌して当業者が適宜実験的に決定できる事項の範囲内のものであり、本件発明１により奏される効果も、上記刊行物１から予測できない格別のものであるとは認められない。
　
　また、本件発明１は以下の理由により、上記刊行物１および４からも容易に発明できたものである。
　本件発明１と上記刊行物１記載の発明（上記（ア−１）参照。）を対比すると、上記刊行物１記載の発明においては、油分として、本件発明１における揮発性シリコーン油に相当するジメチルシクロポリシロキサンが用いられるから（上記（ア−３）参照。）、両者は、「平均粒子径１．０〜１５．０μｍのオルガノポリシロキサンエラストマー球状粉体を２．０〜２０．０重量％と、揮発性シリコーン油を配合したことを特徴とするメーキャップ化粧料」である点で一致し、以下の点で相違する。
　
（相違点１）本件発明１においては、揮発性シリコーン油の配合量を５．０〜７５．０重量％とし、さらに一般式（１）で表されるポリエーテル変性シリコーンを２．０〜２０．０重量％配合するものであるのに対し、上記刊行物１記載の発明においては、揮発性シリコーン油の配合量を１０．０〜９５．０重量％とし、一般式（１）で表されるポリエーテル変性シリコーンの配合については記載がない点。
（相違点２）本件発明１の化粧料はゲル状であるのに対し、上記刊行物１記載に発明の化粧料は油中水型である点。
　
（相違点１）について
　上記（ア−３）のとおり、上記刊行物１記載の発明は油分として、ジメチルシクロポリシロキサン等のシリコーン系オイルを使用するものであるところ、上記刊行物４に記載されているように、揮発性シリコーンを基油としたＢＹ２２−００８およびＢＹ２２−０１２（いずれも、東レ・ダウコーニング（株）製の商品名）がシリコーンを油相成分とする化粧品に使用できることが本願出願日前に公知であり、これらはいずれも、揮発性シリコーンに相当するデカメチルシクロペンタシロキサンと、一般式（１）で表されるポリエーテル変性シリコーンに相当するジメチルシロキサン・メチル（ポリオキシエチレン・ポリオキシプロピレン）共重合体とを含有する混合物である（上記（イ−３）、特開平９−３０１８２２号公報、製品安全データシート（ＢＹ２２−００８）、東レ・ダウコーニング・シリコーン（株）、１９９４年１１月２１日作成、参照。）。そして、上記（イ−２）のとおり、ＢＹ２２−００８およびＢＹ２２−０１２をメーキャップ製品に配合すると化粧もちの良い製品が得られることも本願出願日前に公知である。
　してみれば、上記刊行物１記載の発明において、化粧もちの改善を目的として、シリコーン系オイルとしてＢＹ２２−００８を使用してみることは当業者が容易になし得るところである。そして、上記製品安全データシート（ＢＹ２２−００８）に記載のとおり、ＢＹ２２−００８中には、揮発性シリコーンが少なくとも８３％、一般式（１）で表されるポリエーテル変性シリコーンが少なくとも８％、それぞれ含有されているから、引用刊行物１記載の発明において、シリコーン系オイルとしてＢＹ２２−００８を２５％以上配合した場合、揮発性シリコーン、一般式（１）で表されるポリエーテル変性シリコーンの配合割合は、いずれも、本件発明１における、揮発性シリコーン、一般式（１）で表されるポリエーテル変性シリコーンの配合範囲内になるものであるから、相違点１は格別のものとは認められない。
　
（相違点２）について
　上記刊行物１に記載の発明は、油中水型化粧料に係るものであるが、その実施例から明らかなとおり、具体的形態は、クリーム、乳液から固型状のものまで広範囲のものを含むものである。他方、本件発明１は、ゲル状化粧料に係るものであるが、その実施例からみて、具体的形態は、クリーム、リキッド等である。したがって、両者は具体的形態において重複しており、また、実施例１、実施例５の製法からみて、それらが油中水型の乳化物を形成していることは明らかであるから、相違点２は実質的な差異とは認められない。
　
　したがって、相違点１及び２はいずれも格別のものであるとは認められない。
　
イ．本件発明２について
　本件発明２は、本件発明１における揮発性シリコーン油をジメチルシクロポリシロキサンに限定するものであるが、上記のとおり、上記刊行物１、４及び５においては、ジメチルシクロポリシロキサンが使用されているので、上記アと同様の理由により、本件発明２は、上記刊行物１及び５、又は、上記刊行物１及び４に基づいて当業者が容易に発明できたものである。
　
（４）むすび
　以上のとおりであるから、本件発明１及び２は、上記刊行物１及び５、又は、１及び４に基づいて当業者が容易に発明をすることができたものであるから、本件発明１及び２についての特許は特許法第２９条第２項の規定に違反してされたものである。
　したがって、本件発明１乃至２についての特許は、特許法第１１３条第２号に該当し、取り消されるべきものである。
　よって結論のとおり決定する。
【異議決定日】
平成１５年１０月２９日（２００３．１０．２９）
【訂正の要旨】
審決（決定）の【理由】欄参照。
（５４）【発明の名称】
メーキャップ化粧料
（５７）【特許請求の範囲】
　【請求項１】　（１）平均粒子径１．０〜１５．０μｍのオルガノポリシロキサンエラストマー球状粉体を２．０〜２０．０重量％と、（２）揮発性シリコーン油を５．０〜７５．０重量％と、（３）下記一般式（１）で表されるポリエーテル変性シリコーンを２．０〜２０．０重量％とを配合したことを特徴とする
ゲル状
　【化１】
　［式中、Ａはメチル基、フェニル基および一般式：−Ｃ３Ｈ６Ｏ（Ｃ２Ｈ４Ｏ）ａ（Ｃ３Ｈ６Ｏ）ｂＲ’（式中、Ｒ’は水素原子、アシル基および炭素数１〜４のアルキル基からなる群から選択される基であり、ａは５〜５０の整数であり、ｂは５〜５０の整数である。）で示されるポリオキシアルキレン基からなる群から選択される基であり、Ｒはメチル基またはフェニル基であり、ｍは２００〜６００の整数であり、ｎは５〜２０の整数である。ただし分子中に少なくとも１個はポリオキシアルキレン基を有する。］
　【請求項２】　揮発性シリコーン油がジメチルシクロポリシロキサンである請求項１記載の
ゲル状
【発明の詳細な説明】
　【０００１】
　【発明の属する技術分野】
　本発明は化粧持ち効果に優れたメーキャップ化粧料に関する。
　【０００２】
　【従来の技術および発明が解決しようとする課題】
　近年、メーキャップ化粧料は肌色を整え、美しく見せるという効果とともに、その持続性すなわち化粧持ちが重要な性能として評価の一項目となっている。
　従来の化粧持ち向上技術としては、疎水化処理粉末の配合や、シリコーン樹脂の配合が主であり、前者の場合、化粧後比較的短時間は効果があるものの、夏期やスポーツ時等の汗や皮脂分泌の多い場合には効果が少ないという欠点があった。またシリコーン樹脂を配合した場合には、疎水化処理粉末配合の場合よりは持続性があるものの、皮膜感があるという欠点があった。
　【０００３】
　【課題を解決するための手段】
　本発明者らは係る事情に鑑み、鋭意研究を重ねた結果、（１）平均粒子径１．０〜１５．０μｍのオルガノポリシロキサンエラストマー球状粉体と、（２）揮発性シリコーン油と、（３）特定のポリエーテル変性シリコーンとを配合すれば化粧持ち効果に優れたメーキャップ化粧料が得られることを見い出し、本発明を完成するに至った。
　【０００４】
　すなわち本発明は、（１）平均粒子径１．０〜１５．０μｍのオルガノポリシロキサンエラストマー球状粉体を２．０〜２０．０重量％と、（２）揮発性シリコーン油を５．０〜７５．０重量％と、（３）下記一般式（１）で表されるポリエーテル変性シリコーンを２．０〜２０．０重量％とを配合したことを特徴とする
ゲル状
　【０００５】
　【化２】
　【０００６】
　［式中、Ａはメチル基、フェニル基および一般式：−Ｃ３Ｈ６Ｏ（Ｃ２Ｈ４Ｏ）ａ（Ｃ３Ｈ６Ｏ）ｂＲ’（式中、Ｒ’は水素原子、アシル基および炭素数１〜４のアルキル基からなる群から選択される基であり、ａは５〜５０の整数であり、ｂは５〜５０の整数である。）で示されるポリオキシアルキレン基からなる群から選択される基であり、Ｒはメチル基またはフェニル基であり、ｍは２００〜６００の整数であり、ｎは５〜２０の整数である。ただし分子中に少なくとも１個はポリオキシアルキレン基を有する。］
　【０００７】
　以下本発明の構成について詳述する。
　本発明でメーキャップ化粧料に配合されるオルガノポリシロキサンエラストマー球状粉体としては、特公平４−６６４４６号公報、特開平２−２４３６１２号公報および特公平４−１７１６２号公報に記載されたものが用いられ、それらは例えば、東レ・ダウコーニング・シリコーン株式会社より商品名トレフィルＥ−５０６ＣまたはトレフィルＥ−５０５Ｃで上市されているものが使いやすい。
　また本成分は、その平均粒子径が１．０〜１５．０μｍの範囲のものが本発明の効果を発揮し、さらに好適には１．０〜１０．０μｍのものがより本発明に係る効果を強く発揮する。１．０μｍ未満のものは本発明に係る効果を発揮せず、また１５．０μｍを上回るものはざらつき感があり、メーキャップ化粧料原料として不適当である。
　【０００８】
　本発明においてメーキャップ化粧料に配合されるオルガノポリシロキサンエラストマー球状粉体の量としては２．０重量％以上が必要で、それ以下では化粧持ち向上効果が乏しい。配合上限は本発明の効果からは特に制限はないが、著しく多量に配合した場合、塗布中に“よれ”が発現するとともに、仕上がり感が不自然になり好ましくない。あえて限定するならば２０．０重量％以下である。
　【０００９】
　本発明に用いられる揮発性シリコーン油としてはジメチルシクロポリシロキサンが好ましい。具体的には、ヘキサメチルシクロトリシロキサン、オクタメチルシクロテトラシロキサン、デカメチルシクロペンタシロキサンおよびドデカメチルシクロヘキサシロキサンなどが好適であり、それらの混合物であっても差し支えない。不揮発性シリコーン油のみを用いた場合は、本発明に係る効果の化粧持ちを向上できないばかりか、使用上ざらつきを感じるという欠点がある。
　【００１０】
　本発明に配合される揮発性シリコーン油の配合量としては、著しく少量の場合にはオルガノポリシロキサンエラストマー球状粉体をはじめとする粉末原料との練りあるいは懸濁が不自由で製造性が悪い。また上限は本発明の効果からは特に制限はないが、著しく多量に配合した場合には他原料とのバランスから好ましくない。好適には５．０〜７５．０重量％である。
　【００１１】
　本発明に用いられるポリエーテル変性シリコーンは、前記一般式（１）で示されるポリオキシアルキレン基を有するオルガノポリシロキサングラフト重合体である。Ｒ’のアシル基として具体的には、ホルミル基、アセチル基、プロピオニル基、ブチリル基、アクリロイル基、ベンゾイル基、トルオイル基等が例示され、炭素数１〜４のアルキル基として具体的には、メチル基、エチル基、ｉ−プロピル基、ｎ−プロピル基、ｔ−ブチル基、ｎ−ブチル基等が例示される。
　【００１２】
　なお、ポリオキシアルキレン基において、ａまたはｂが５未満である場合には、ポリエーテル変性シリコーンが十分な増粘効果を示さなくなり、またａまたはｂが５０を超える場合には、得られたゲル状化粧料がべとつき感を有するようになる。
　【００１３】
　ポリオキシアルキレン基の含有量は特に限定されないが、ポリオキシアルキレン基の含有量が２０〜７０重量％（ただし、２０重量％は含まない。）であることが望ましい。これは、ポリオキシアルキレン基の含有量が２０重量％以下の場合には、ポリエーテル変性シリコーンの増粘効果が著しく低下するためであり、また７０重量％を超える場合には、シリコーン油との相溶性が低下するためである。
　【００１４】
　また、ｍは５０〜１０００の整数であり、ｎは１〜４０の整数であり、好ましくは、ｍは２００〜６００、ｎは５〜２０である。これは、ｍが５０未満であり、ｎが１未満である場合には、増粘効果が不十分であり、またｍが１０００を超え、かつｎが４０を超える場合には、得られたゲル状化粧料がべとつき感を有するようになるからである。
　【００１５】
　本発明に用いられるポリエーテル変性シリコーンの分子量は特に限定されず、またその２５℃における粘度は特に限定されないが、特に安定性のあるゲルを形成し、さらさら感を有するゲル状化粧料とするためには、本発明に用いられるポリエーテル変性シリコーンは、オクタメチルテトラシロキサンの５０．０重量％溶液とした時の粘度が１０００〜１０００００ｃｓｔの範囲となるようなものであることが好ましい。また分子量は、安定性、使用性の面から５００００以上、好ましくは５００００〜８００００の範囲が好ましい。
　【００１６】
　本発明に用いられるポリエーテル変性シリコーンの配合量としては２．０重量％以上が必要で、それ未満では化粧持ち向上効果に乏しい。配合上限は本発明の効果からは特に制限はないが、著しく多量に配合した場合、塗布中ののびが重くなり、べたつきが発現するとともに仕上がり感が不自然になり好ましくない。あえて限定するならば２０．０重量％以下である。
　【００１７】
　本発明においては上記必須成分のほかに、メーキャップ化粧料を構成する成分として、通常メーキャップ化粧料に基剤として配合される顔料、油分、界面活性剤、水、保湿剤、低級アルコールや、メーキャップ化粧料を修飾する成分として防腐剤、香料、キレート剤、酸化防止剤、紫外線吸収剤、ゲル化剤、増粘剤等が配合できることは言うまでもない。
　【００１８】
　顔料のうちオルガノポリシロキサンエラストマー球状粉体以外の粉末の例として、無機顔料の例としては、タルク、カオリン、炭酸カルシウム、亜鉛華、二酸化チタン、赤酸化鉄、黄酸化鉄、黒酸化鉄、群青、チタンコーティッドマイカ、オキシ塩化ビスマス、ベンガラ、粘結顔料、グンジョウピンク、水酸化クロム、雲母チタン、酸化クロム、酸化アルミニウムコバルト、紺青、カーボンブラック、無水ケイ酸、ケイ酸マグネシウム、ベントナイト、マイカ、酸化ジルコニウム、酸化マグネシウム等が例示される。
　【００１９】
　有機顔料としては、ポリエチレン、ポリプロピレン、ナイロン、メタクリル酸メチルポリマー、ポリスチレン、ポリスチレンポリアクリル酸共重合体、塩化ビニルポリマー、テトラフルオロエチレンポリマー等の粉末や、セルロースパウダー、キチンパウダー、キトサンパウダー、魚鱗箔、レーキ化タール色素等が例示される。
　【００２０】
　またこれらの顔料は疎水化処理などの表面処理を施したものも応用できる。例えば、高粘度シリコーン油処理、アルキルハイドロジェンポリシロキサンを反応させたシリコーン樹脂処理、あるいはそれらをアルケン処理したもの、カチオン活性剤処理、アニオン活性剤処理、ノニオン活性剤処理、ワックス処理、デキストリン脂肪酸処理、フッ素処理等が例示される。
　【００２１】
　本発明に係るメーキャップ化粧料に配合できる揮発性シリコーン油以外の油分としては、アボガド油、ツバキ油、タートル油、マカデミアナッツ、トウモロコシ油、ミンク油、オリーブ油、ナタネ油、卵黄油、ゴマ油、小麦胚芽油、サザンカ油、ヒマシ油、アマニ油、サフラワー油、綿実油、エノ油、大豆油、落花生油、茶実油、カヤ油、コメヌカ油、シナギリ油、日キリ油、ホホバ油、胚芽油、トリグリセリン、トリオクタン酸グリセリン、トリイソパルミチン酸グリセリン等の液状油分、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油等の固形油分や、ミツロウ、カンデリラロウ、綿ロウ、カルナウバロウ、ベベリーロウ、イボタロウ、鯨ロウ、モンタンロウ、ヌカロウ、ラノリン、カポクロウ、酢酸ラノリン、液状ラノリン、サトウキビロウ、ラノリン脂肪酸イソプロピル、ラウリン酸ヘキシル、還元ラノリン、ジョジョバロウ、硬質ラノリンセラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル等、あるいは流動パラフィン、オゾケライト、スクワレン、プリスン、パラフィン、セレシン、スクワレン、ワセリン、マイクロクリスタリンワックス等の炭化水素油等も配合できる。ただし、油分全体に占める揮発性シリコーン油の割合は、少なくとも３３重量％以上である必要がある。
　【００２２】
　【実施例】
　次に実施例を用いて本発明の効果をより詳細に説明するが、本発明はこれにより限定されるものではない。
実施例１、比較例１〜４（クリーム状ファンデーション）
　表１記載の処方で、下記の方法によりクリーム状ファンデーションを製造し、その化粧持ちを評価した。
　【００２３】
　【表１】
　【００２４】
［注１］
　【００２５】
　【化３】
　５０％デカメチルシクロペンタシロキサン溶液（但し、比較例３は５０％軽質流動イソパラフィン溶液）
　【００２６】
▲１▼製造方法
　（３）または（４）に、（１）、（７）および（８）を分散したのち、（４）〜（６）を加え撹拌溶解する。次いで（１０）に（９）を溶解した水相を添加しながら撹拌処理する。脱気したのちクリーム状ファンデーションとする。
　【００２７】
▲２▼化粧持ちの評価
　実施例１および比較例１〜４の試料を２２〜２５歳の女性パネル各１０名の顔面に塗布したのち、２ｋｍランニングさせる。そののち、化粧のくずれを自己判定させた結果を表２に示す。
　【００２８】
　【表２】
　【００２９】
　表２から分かるように、実施例１の試料を塗布した群では化粧くずれしたと判定した者が１名であるのに対して、比較例１〜４を塗布した群では、４〜９名である。これは本発明の化粧料が従来のものに比べて化粧持ちに優れていることを示している。なお、比較例４の試料は使用時に非常にべたつき、好ましくなかった。
　【００３０】
実施例４　リキッドファンデーション
　　（１）シリコーン処理タルク　　　　　　　　　　　５．０重量％
　　（２）シリコーン処理セリサイト　　　　　　　　　３．０
　　（３）シリコーン処理マイカ　　　　　　　　　　　３．０
　　（４）シリコーン処理酸化チタン　　　　　　　　　６．０
　　（５）シリコーン処理着色顔料　　　　　　　　　　３．０
　　（６）トレフィルＥ−５０６Ｃ　　　　　　　　　　２．０
　　（７）デカメチルシクロペンタシロキサン　　　　７２．０
　　（８）ポリエーテル変性シリコーン〔注２〕　　　　４．０
　　（９）ジグリセリンジイソステアレート　　　　　　１．０
　　（１０）ジメチルポリシロキサン（６ｃｓ）　　　　１．０
　　（１１）防腐剤　　　　　　　　　　　　　　　　　適量
（製法）
　（１）〜（６）を混合粉砕し、粉末部とする。（７）〜（１１）の液部を混合溶解した中に粉末部を加え、分散処理する。その後、容器に分注する。
　【００３１】
　実施例５　化粧下地
　　（１）トレフィルＥ−５０６Ｃ　　　　　　　　　　２．０重量％
　　（２）球状ナイロン粉末　　　　　　　　　　　　　５．０
　　（３）微粒子酸化チタン　　　　　　　　　　　　　４．０
　　（４）オクタメチルシクロテトラシロキサン　　　１０．０
　　（５）ジメチルポリシロシサン（６ｃｓ）　　　　　８．０
　　（６）ポリエーテル変性シリコーン〔注２〕　　　４０．０
　　（７）セスキイソステアリン酸ソルビタン　　　　　２．０
　　（８）１，３−ブチレングリコール　　　　　　　　５．０
　　（９）グリセリン　　　　　　　　　　　　　　　　３．０
　　（１０）固形パラフィン　　　　　　　　　　　　　５．０
　　（１１）オクチルメトキシシンナメート　　　　　　２．８
　　（１２）メチルパラベン　　　　　　　　　　　　　０．２
　　（１３）精製水　　　　　　　　　　　　　　全体を１００とする量
（製法）
　（１）〜（３）を混合粉砕し、粉末部とする。（４）〜（７），（１１）を加熱混合し、油相部とする。（１３）に（８），（９），（１２）を溶解し、水相部とする。７０℃に加熱した油相部に粉末部を分散処理し、７０℃に加熱した水相部を加え、乳化する。その後、あらかじめ８０℃以上で融解した（１０）を加え、再び乳化処理する。脱気後、容器に充填し、冷却する。
　【００３２】
実施例６　クリームファンデーション
　　（１）ステアリルアルコール　　　　　　　　　　　１．２重量％
　　（２）ベヘニルアルコール　　　　　　　　　　　　１．２
　　（３）バチルアルコール　　　　　　　　　　　　　１．０
　　（４）トレフィルＥ−５０６Ｃ　　　　　　　　　　２．０
　　（５）デカメチルシクロペンタシロキサン　　　　　９．０
　　（６）ポリエーテル変性シリコーン〔注２〕　　　　４．０
　　（７）ジメチルポリシロキサン　　　　　　　　　　３．０
　　（８）メチルフェニルポリシロキサン　　　　　　　２．０
　　（９）スクワラン　　　　　　　　　　　　　　　　３．０
　　（１０）２−エチルヘキサン酸トリグリセリド　　　３．０
　　（１１）グリセリルモノステアレート　　　　　　　１．８
　　（１２）ステアリン酸　　　　　　　　　　　　　　２．０
　　（１３）ＰＯＥ（６０）硬化ヒマシ油　　　　　　　０．５
　　（１４）トリエタノールアミン　　　　　　　　　　１．６
　　（１５）エチルパラベン　　　　　　　　　　　　　０．２
　　（１６）タルク　　　　　　　　　　　　　　　　　３．０
　　（１７）セリサイト　　　　　　　　　　　　　　　４．０
　　（１８）マイカ　　　　　　　　　　　　　　　　　３．０
　　（１９）酸化チタン　　　　　　　　　　　　　　　１．０
　　（２０）着色顔料　　　　　　　　　　　　　　　　３．０
　　（２１）精製水　　　　　　　　　　　　　　全体を１００とする量
　（製法）
　（１）〜（３），（５）〜（１３），（１５）を加熱溶解し、油相部とする。（４），（１６）〜（２０）を混合粉砕し、粉末部とする。（２１）に（１４）を溶解し、７０℃に加熱した水相部に７０℃に加熱した油相部を加え、乳化する。その後、粉末部を分散処理する。脱気後、撹拌冷却を施した後、容器に充填する。
　【００３３】
　実施例
４
　【００３４】
　【発明の効果】
　以上説明したように、本発明のメーキャップ化粧料においては化粧持ち効果を著しく向上させることができる。